(57)【特許請求の範囲】
【請求項１】
所定の読取位置でコンタクトガラス面に沿って静止している原稿を読取手段を移動させて読み取る画像読取装置の前記読取位置に原稿を搬送する原稿搬送装置において、
前記コンタクトガラス面に沿って配置され原稿を前記読取位置に搬送する無端搬送ベルトと、
前記コンタクトガラス面に沿って原稿搬送方向に並設され、前記読取位置で前記コンタクトガラス面に沿って静止している原稿を吸引するための第１および第２吸引手段と、
を備え、
前記第１および第２吸引手段のうち第１吸引手段のみに前記無端搬送ベルトが巻回されており、
原稿読み取り時に前記読取位置で静止している原稿は、前記第１吸引手段によって前記無端搬送ベルトに吸着されるとともに前記第２吸引手段に吸着されて、前記コンタクトガラス面から所定距離離間することを特徴とする原稿搬送装置。
【請求項２】
コンタクトガラスと、
前記コンタクトガラス面に沿って配置され原稿を所定の読取位置に搬送する無端搬送ベルトと、
前記コンタクトガラス面に沿って原稿搬送方向に並設され、前記読取位置で前記コンタクトガラス面に沿って静止している原稿を吸引するための第１および第２吸引手段と、
前記コンタクトガラス面に沿って移動しながら前記読取位置で静止している原稿の読み取りを行う読取手段と、
を備え、
前記第１および第２吸引手段のうち第１吸引手段のみに前記無端搬送ベルトが巻回されており、
原稿読み取り時に前記読取位置で静止している原稿は、前記第１吸引手段によって前記無端搬送ベルトに吸着されるとともに前記第２吸引手段に吸着されて、前記コンタクトガラス面から所定距離離間することを特徴とする画像読取装置。
【請求項３】
前記第２吸引手段は、前記第１吸引手段よりも吸引力が弱いことを特徴とする請求項２に記載の画像読取装置。
【請求項４】
前記無端搬送ベルトと前記第２吸引手段との間に、前記無端搬送ベルトと前記コンタクトガラスとの間に形成された搬送経路に原稿を給送するための給紙経路を形成したことを特徴とする請求項２に記載の画像読取装置。
【発明の詳細な説明】
【０００１】
【発明の属する技術分野】
本発明は、原稿を吸引しながら画像読取装置の所定の読取位置に原稿を搬送する原稿搬送装置、およびこの搬送装置を備えた画像読取装置に関する。
【０００２】
【従来の技術】
従来、原稿を吸着しながら搬送する原稿搬送部を備え、原稿に記録された画像を読み取る画像読取装置が知られている。図１１（Ａ）に示すように、この種の画像読取装置は、箱状のケーシング９１５の上部開口を覆うように略水平に固定されたコンタクトガラス９０１及びケーシング９１５内に内包されコンタクトガラス９０１に沿って移動しながら原稿に記録された画像を読み取る読取ユニット９０２を有する画像読取部９００と、コンタクトガラス９０１の上方に配設され原稿を吸着しながら所定の読取位置に搬送する原稿搬送部９１０とを備えている。図１１（Ａ）、（Ｂ）に示すように、原稿搬送部９１０は、複数の吸気孔９０６が形成されローラ９１１、９１２、９１３に巻き掛けられた無端搬送ベルト９０３と、この無端搬送ベルト９０３に原稿を吸着させるために無端搬送ベルト９０３の内側（上側）に吸気孔９０６の形成方向に沿って矩形状に吸引口９０７が形成された吸引ダクト９０５と、吸引ダクト９０５を介してコンタクトガラス９０１の反対側に配置され吸引ダクト９０５内のエアを吸引する吸引ファン９０４とを有している。
【０００３】
この画像読取装置では、吸引ファン９０４の作動により吸引ダクト９０５内のエアを吸引することで、吸引口９０７を介して搬送ベルト９０３に形成された吸気孔９０６で原稿を吸引しつつ、図示しない駆動ユニットでローラ９１１、９１２、９１３を回転させ無端搬送ベルト９０３を図１１（Ａ）の矢印方向に移動させて原稿を読取位置まで搬送し、原稿をコンタクトガラス９０１に押圧させた状態で読取ユニット９０２を移動させて原稿に記録された画像を読み取る。
【０００４】
【発明が解決しようとする課題】
しかしながら、上記画像読取装置では、原稿搬送方向においてコンタクトガラスの全面を覆う搬送ベルトを用い、この搬送ベルトで包囲され原稿搬送方向の原稿長さ以上の吸引ダクトを用いていたので、装置全体が大型化してしまっていた。
【０００５】
また、例えば写真のように光沢のある原稿の場合には、原稿とコンタクトガラスとの間に形成される薄い空気層によって、原稿面から反射した光とコンタクトガラスを介して反射した光とが干渉することによりニュートンリングが発生し、良好な画像が得られない、という問題がある。
【０００６】
本発明は上記事案に鑑み、小型化を図るとともにニュートンリングの発生を防止する原稿搬送装置及び該原稿搬送装置を備え良好が画像を得ることができる画像読取装置を提供することを課題とする。
【０００７】
【課題を解決するための手段】
上記課題を解決するために、本発明の第１の態様は、所定の読取位置でコンタクトガラス面に沿って静止している原稿を読取手段を移動させて読み取る画像読取装置の前記読取位置に原稿を搬送する原稿搬送装置において、前記コンタクトガラス面に沿って配置され原稿を前記読取位置に搬送する無端搬送ベルトと、前記コンタクトガラス面に沿って原稿搬送方向に並設され、前記読取位置で前記コンタクトガラス面に沿って静止している原稿を吸引するための第１および第２吸引手段と、を備え、前記第１および第２吸引手段のうち第１吸引手段のみに前記無端搬送ベルトが巻回されており、原稿読み取り時に前記読取位置で静止している原稿は、前記第１吸引手段によって前記無端搬送ベルトに吸着されるとともに前記第２吸引手段に吸着されて、前記コンタクトガラス面から所定距離離間することを特徴とする。
【０００８】
本態様の原稿搬送装置は、無端搬送ベルトがコンタクトガラス面に沿って配置されており、第１および第２吸引手段がコンタクトガラス面に沿って原稿搬送方向に併設されている。これら第１および第２吸引手段のうち第１吸引手段のみに無端搬送ベルトが巻回されている。原稿は第１吸引手段で吸引され無端搬送ベルトにより画像読取装置の所定の読取位置に搬送され、読取位置でコンタクトガラス面に沿って静止している原稿が第１吸引手段によって無端搬送ベルトに吸引されるとともに第２吸引手段に吸引されて、コンタクトガラス面から所定距離離間する。そして、読取位置においてコンタクトガラス面に沿って静止している原稿が、画像読取装置の読取手段を移動させることによって読み取られる。この所定間隔には、原稿（記録）面からの反射光とコンタクトガラス面からの反射光とが干渉する間隔より大きな間隔が設定される。本態様によれば、第１および第２吸引手段のうち第１吸引手段のみに原稿を搬送する無端搬送ベルトが巻回されているので、原稿搬送装置の小型化を図ることができると共に、読取位置でコンタクトガラス面に沿って静止している原稿は並設された第１吸引手段および第２吸引手段によって、コンタクトガラス面から所定間隔離間されるので、ニュートンリングの発生を防止することができる。
【０００９】
また、上記課題を解決するために、本発明の第２の態様は、コンタクトガラスと、前記コンタクトガラス面に沿って配置され原稿を所定の読取位置に搬送する無端搬送ベルトと、前記コンタクトガラス面に沿って原稿搬送方向に並設され、前記読取位置で前記コンタクトガラス面に沿って静止している原稿を吸引するための第１および第２吸引手段と、前記コンタクトガラス面に沿って移動しながら前記読取位置で静止している原稿の読み取りを行う読取手段と、を備え、前記第１および第２吸引手段のうち第１吸引手段のみに前記無端搬送ベルトが巻回されており、原稿読み取り時に前記読取位置で静止している原稿は、前記第１吸引手段によって前記無端搬送ベルトに吸着されるとともに前記第２吸引手段に吸着されて、前記コンタクトガラス面から所定距離離間することを特徴とする。本態様では、第１の態様と同様に、第１および第２吸引手段のうち第１吸引手段のみに原稿を搬送する無端搬送ベルトが巻回されているので、原稿搬送装置の小型化を図ることができると共に、読取位置でコンタクトガラス面に沿って静止している原稿は第１吸引手段および第２吸引手段によって、コンタクトガラス面から所定間隔離間されるので、ニュートンリングの発生を防止することができるため、良好な画像を得ることができる。なお、この所定間隔には、第１の態様と同様に、原稿面からの反射光とコンタクトガラス面からの反射光とが干渉する間隔より大きな間隔が設定される。
【００１０】
第２の態様において、無端搬送ベルトへの負荷を低減させるために、第２吸引手段は第１吸引手段よりも吸引力が弱いことが好ましい。また、無端搬送ベルトと第２吸引手段との間に、無端搬送ベルトとコンタクトガラスとの間に形成された搬送経路に原稿を給送するための給紙経路を形成することが好ましい。
【００１１】
【発明の実施の形態】
以下、図面を参照して、本発明を写真の画像を読み取る画像読取装置に適用した実施の形態について説明する。なお、本画像読取装置は、例えば、写真取扱店などに設置され、客から持ち込まれたプリント写真や店内で焼き付けされた写真の画像を読み取り、加工編集して、ＣＤ−Ｒ等の記録媒体に保存するサービス等に供される。
【００１２】
（構成）
図１に示すように、本実施形態の画像読取装置１は、原稿としての写真の画像を読み取る画像読取ユニット３と、画像読取ユニット３により読み取りが行われる所定の読取位置８００まで写真を一枚ずつ搬送する搬送ユニット２とを備えている。
【００１３】
＜画像読取ユニット＞
画像読取ユニット３は、略垂直に配置され透明なガラスからなるコンタクトガラス３００と、コンタクトガラス３００の下方に配置されたシェーディング補正用の白基準板３２３と、写真の長さに応じた距離をコンタクトガラス３００に沿って移動しながら写真の画像を読み取るキャリッジ３０１（読取手段）と、を有している。
【００１４】
図３に示すように、コンタクトガラス３００はフレーム３５０に取り付けられている。フレーム３５０は、コンタクトガラス３００よりもわずかに小さな長方形状の開口が形成された取り付け面３５１を有した断面略コ字状の形状とされている。コンタクトガラス３００は取り付け面３５１の開口に配され、端面が左右各３個ずつ計６個の板状の取り付け部材３５２と取り付け面３５１とに挟まれ、取り付け部材３５２側からネジ止めすることでフレーム３５０に固定されている。フレーム３５０の下端部には、取り付け面３５１と直交する方向に延出した矩形状の支持面３５３が形成されている。支持面３５３は、画像読取装置１の底面を構成する下フレーム７０１（図１参照）に固定されている。このため、コンタクトガラス３００は画像読取装置１の設置面に対し略垂直に支持（配置）されている。取り付け面３５１の開口最下端部には、コンタクトガラス３００と同様に、白基準板３２３がネジ止めされている。なお、下フレーム７０１の載置面側には、載置面と接触する４つの樹脂製脚７０２が所定距離離れて下フレーム７０１に固定されている。
【００１５】
コンタクトガラス３００と白基準板３２３とは、後述する排出部６０の一部を構成し複数のローラ６０２（回転体）を回転可能に支持する断面略Ｒ状の回転体支持部材６１５を介して垂直方向に略同一平面を構成している（図１も参照）。回転体支持部材６１５には、複数のローラ６０２が原稿搬送（排出）方向に連続して隣接するローラの外周が互いにオーバラップするように千鳥状に配設されている。
【００１６】
図１に示すように、キャリッジ３０１は、写真に光を照射するキセノンランプなどの光源３０３と、写真からの反射光の光路を変更させる複数のミラー３０４、３０５、３０６、３０７と、ミラー３０７からの反射光を結像させるレンズユニット３０８と、結像された反射光をＲＧＢ３色でそれぞれ光電変換する３個のＣＣＤからなるカラーイメージセンサ３０９と、イメージセンサ３０９が取り付けられたセンサ基板３２５とを有する一体ユニットとして構成されている。
【００１７】
また、画像読取ユニット３は、上部側に配置されキャリッジ３０１をコンタクトガラス３００に沿って上下（垂直）方向に移動させる駆動プーリ３１９と、下部側に配置された従動プーリ３２０と、を有しており、駆動プーリ３１９及び従動プーリ３２０間にはタイミングベルト３２１が張架されている。図４に示すように、駆動プーリ３１９のプーリ軸の反対側には、駆動プーリ３０９より大径のプーリ３２６が嵌着されている。プーリ３２６には、図示を省略したタイミングベルトを介して、正逆転可能でキャリッジ３０１の駆動源となるキャリッジモータＭ３からの回転動力が伝達される。
【００１８】
キャリッジ３０１は、一対のロッド状ガイドシャフト３３３、３３４とそれぞれ摺動可能な円筒状の支持部材５７０、５７１で両側が支持されている。ガイドシャフト３３３、３３４の両端は、上下方向に離間して配設された板状の上側フレーム３３１、下側フレーム３３２に固定されている。支持部材５７０、５７１は、高分子樹脂が材質とされており、ガイドシャフト３３３、３３４の外径（直径）よりもわずかに大きな内径に成形されている。従って、支持部材５７０、５７１に支持されたキャリッジ３０１は、ガイドシャフト３３３、３３４の案内により上下方向に摺動可能に構成されている。
【００１９】
図２に示すように、キャリッジモータＭ３の正転駆動により、駆動プーリ３１９、タイミングベルト３２１が時計方向に回転してキャリッジ３０１が上昇移動し、キャリッジモータＭ３の逆転駆動により、駆動プーリ３１９、タイミングベルト３２１が反時計方向に回転してキャリッジ３０１が下降移動する。図１に示すように、下フレーム７０１には、キャリッジ３０１のホームポジションＨを検出する透過型センサからなるホームポジションセンサ３３０が配置されている。キャリッジ３０１は、このホームポジションＨから（上側フレーム３３１で規制される）コンタクトガラス３００の上端近傍（図２に示す点線位置）まで、コンタクトガラス３００に沿って昇降移動が可能である。また、搬送ユニット２により搬送されてきた写真の停止基準となる基準位置Ｔがコンタクトガラス３００の下部に設定されており、この基準位置Ｔに設けられた後述する停止手段で先端が当接されて写真は読取位置８００で停止される。なお、この基準位置Ｔは、キャリッジ３０１の原稿読取開始位置としても設定されている。さらに、白基準板３２３の下方近傍がキャリッジ３０１のホームポジションＨに設定されている。
【００２０】
＜搬送ユニット＞
図１に示すように、搬送ユニット２は、コンタクトガラス３００の上部に配置され手差し給紙口１０Ｃ（第1給紙口）を有する手差し給紙部１０と、後述するように第１搬送経路１０９と第２搬送経路５０７とで構成され手差し給紙口１０Ｃから読取位置８００（基準位置Ｔ）までコンタクトガラス３００に沿って写真（の先端）を案内する搬送経路７００と、搬送経路７００に沿って写真を搬送する原稿搬送部５０と、手差し給紙部１０と原稿搬送部５０との間から所定長さ以下の写真を搬送経路７００に給送する自動給紙部２０と、キャリッジ３０１で画像が読み取られた写真を排出する排出部６０と、を有している。
【００２１】
なお、所定長さ以下の写真（以下、Ｓサイズ写真という。）には、例えば、Ｅサイズ（８８ｍｍ×１１７ｍｍ）、Ｌサイズ（８８ｍｍ×１２７ｍｍ）、４Ｒサイズ（４インチ×６インチ＝１０１．６ｍｍ×１５２．４ｍｍ）、ハイビジョンサイズ（８８ｍｍ×１５６ｍｍ）、インスタント写真小（８６ｍｍ×５４ｍｍ）、インスタント写真大（８６ｍｍ×１０８ｍｍ）が該当し、所定長さ以上の写真（以下、パノラマ写真という。）には、例えば、パノラマ写真（８８ｍｍ×２５４ｍｍ）が該当する。
【００２２】
手差し給紙部１０は、回動軸１０２を中心に手動で回動させることで開閉可能なカバー１０１、パノラマ写真を挿入するための手差し給紙口１０Ｃ、手差し給紙口１０Ｃにパノラマ写真を案内するガイド部１１０、鈍角状に屈曲した屈曲部を境としてパノラマ写真を載置（支持）するための手差し給紙トレイ１０８ａとコンタクトガラス３００の上部表面から所定間隔離間されて配置されるガイドフレーム１０８ｂとからなるフレーム１０８（図５も参照）、フレーム１０８と一体に形成されパノラマ写真を吸引する第２吸引部１５０、及び、フレーム１０８の上端近傍に配置されパノラマ写真の有無を検出するエンプティセンサ１１１で構成されている。
【００２３】
カバー１０１は、上述したように手動で開閉可能であり、手差し給紙トレイ１０８ａ上にパノラマ写真が載置されていない不使用時には、このカバー１０１を閉じることで、画像読取装置１内に手差し給紙口１０Ｃからほこりなどの異物の混入を防止すると共に、写真の画像読取時にカバー１０１を閉じることで、画像読取装置１内に外光の入射を防止する機能を有している。
【００２４】
ガイド部１１０は、断面略三角形状のガイド部材１０３に従動ローラ１０４、１０５、１０６、１０７が取り付けられて構成されている。これらの従動ローラ１０４、１０５、１０６、１０７は、手動でパノラマ写真が手差し給紙口１０Ｃから挿入されたときやパノラマ写真が搬送されるときに写真面に接触して回転することで、パノラマ写真とガイド部材１０３との接触抵抗を低減させるとともに写真の画像面にキズがつくのを防止するために配設されている。
【００２５】
フレーム１０８は、黒色の樹脂により手差し給紙トレイ１０８ａとサイドフレーム１０８ｂとが一体成形されている。上述したように、屈曲部より上方の手差し給紙トレイ１０８ａは搬送経路７００に対して屈曲しており、搬送経路７００に手差し給紙口１０Ｃから異物が直接混入することを防止している。屈曲部より下方のガイドフレーム１０８ｂは、コンタクトガラス３００の表面と搬送経路７００の上部側搬送経路となる第１搬送経路１０９を形成するとともに、パノラマ写真を支持する支持面としての機能も有している。図６に示すように、ガイドフレーム１０８ｂのコンタクトガラス３００に対向する面上には、パノラマ写真の搬送方向に延設された複数のリブ１３０が形成されており、パノラマ写真はこのリブ１３０と線接触することで搬送時の接触抵抗が低減される。また、ガイドフレーム１０８ｂの略中央には矩形状の吸気口１２５が形成されており、第２吸引部１５０によりパノラマ写真の略中央部が吸引される。
【００２６】
図５に示すように、第２吸引部１５０は、フレーム１０８と一体の樹脂で形成された袋状の第２吸引ダクト１２０と、第２吸引ダクト１２０の吸気口１２５の反対側にネジ止めされた第２吸引ファン１２１とで構成されている。第２吸引ファン１２１は、箱状のケーシング１２６内にボス１２２の周囲に複数の羽根１２３を取り付けたファン１２８を有している。ケーシング１２６には、第２吸引ダクト１２０側に略円形の通気口１２４が形成されており、第２吸引ダクト１２０の反対側に吐出口１２７が形成されている。第２吸引ファン１２１の作動（ファン１２８の回転）により、吸気口１２５から吸引された空気が吐出口１２７より排気されるため、吸気口１２５を介してパノラマ写真が吸引され、ガイドフレーム１０８ｂ上のリブ１３０上で支持される。第２吸引部１５０の吸引力は、後述する第1吸引部５３１の吸引力よりも弱く設定されている。
【００２７】
本実施形態では、写真の厚さが約０．３ｍｍであるのに対し、リブ１３０の表面からコンタクトガラス３００の表面までの間隔は約１ｍｍに設定されている。従って、第２吸引部１５０で吸引されリブ１３０に支持されたパノラマ写真の表面（画像面）からコンタクトガラス３００の表面までは所定間隔（約０．７ｍｍ）離間することになる。
【００２８】
原稿搬送部５０は、ローラ５０１、５０２、５３３、５０４に張架された無端搬送ベルト５０５と、搬送ベルト５０５に包囲され写真を吸引して搬送ベルト５０５に吸着させる第１吸引部５３１と、コンタクトガラスの下部に位置し搬送経路７００（第２搬送経路５０７）に進退自在に駆動され写真を基準位置Ｔ（読取位置８００）で停止させる停止部材５０８とで構成されている。
【００２９】
搬送ベルト５０５は、コンタクトガラス３００の表面とで、上述した第１搬送経路に連続し、搬送経路７００の下部側搬送経路となる第２搬送経路５０７を形成している。図６に示すように、搬送ベルト５０５は、原稿（写真）搬送方向に並行する２本の黒色の無端ベルト５０５ａ、５０５ｂで構成されており、各無端ベルト５０５ａ、５０５ｂには、吸気用の複数の吸気孔５５０が各２列原稿搬送方向に沿って形成されている。なお、搬送ベルト５０５に張力を与えるために、ローラ５０４は、中央部に支点を有するレバー５１０の一側に支点を中心として回動可能に固定されており、レバー５１０の他側にはバネにより所定の付勢力が加えられている（図１参照）。
【００３０】
図５に示すように、第１吸引部５３１は、第１吸引ダクト５３２と第1吸引ファン５０３とで構成されている。第１吸引ダクト５３２は、黒色の樹脂で形成された箱状の形状を有している。第1吸引ダクト５３２は、コンタクトガラス３００側の一側が後述する梁を介してローラ５３３、５０２の間の搬送ベルト５０５に接触するよう配置されており、開放された他側には、中央に略円形状の通気口５５６が形成された取付板５５３がネジ止めされている。取付板５５３には図示しないネジで第１吸引ファン５０３が固定されている。第１吸引ファン５０３は、箱状のケーシング５５７内にボス５５９の周囲に多数の羽根５６０を取り付けたファン５６１を有している。ケーシング５５７には、図５の紙面奥側に図示しない吐出口が形成されている。
【００３１】
図６に示すように、第１吸引ダクト５３２のコンタクトガラス３００側には、略中央に原稿搬送方向に沿って伸びる縦長の２つの吸引口５５２ａ、５５２ｂが形成されており、これらの吸引口５５２ａ、５５２ｂを塞ぐように無端ベルト５０５ａ、５０５ｂがローラ５３３、５０２に巻き掛けられいる。上述したように、無端ベルト５０５ａ、５０５ｂには、吸気口５５２ａ、５５２ｂに沿って各２列の吸気孔５５０が形成されている。従って、第１吸引ファン５０３の作動（ファン５６１の回転）により、写真は、無端ベルト５０５ａ、５０５ｂの吸気孔５５０、第一吸引ダクト５０３の吸引口５５２ａ、５５２ｂを介して搬送ベルト５０５に吸着され、吸気孔５５０から吸引された空気は第１吸引ファン５０３の図示しない吐出口より排気される。
【００３２】
第１吸引ダクト５３２は、吸引口５５２ａ及び５５２ｂの両外側に原稿搬送方向に沿って伸びる４本のリブ５５１ａ、５５１ｂ、５５１ｃ、５５１ｄを有している。これらのリブは、中央に配された無端ベルト５０５ａ、５０５ｂでは支持されない写真の両外側を支持し、写真を第１吸引ダクト５３２に線接触させることにより搬送時の写真と第１吸引ダクト５３２表面との接触抵抗を低減させ、写真のスキューを防止している。
【００３３】
また、第１吸引ダクト５３２は、各吸引口５５２ａ、５５２ｂの両端および中央に原稿搬送方向に伸びる３本の垂直梁５８０及び垂直梁５８０とは略９０°の角度をなす各３本の水平梁５８５を有している。垂直梁５８０及び水平梁５８５は、第１吸引ダクト５３２の表面からコンタクトガラス３００側に突出し、各無端ベルト５０５ａ、５０５ｂを支持している。このため、各無端ベルト５０５ａ、５０５ｂと第１吸引ダクト５０３表面との接触面積は減少し、接触抵抗が低減さされる。６本の垂直梁５８０のうち各吸引口５５２ａ、５５２ｂの中央に配置された２本の垂直梁５８０と６本の水平梁５８５とは、吸引による各無端ベルト５０５ａ、５０５ｂの変形を防止し、ひいては写真の変形を防止している。
【００３４】
図７に示すように、リブ５５１ａ〜５５１ｄの第１吸引ダクト５３２からの高さ（長さ）と、垂直梁５８０（水平梁５８５）の第１吸引ダクト５３２からの高さに無端ベルト５０５ａ、５０５ｂの厚さを加えた長さとは、同一となるようにそれぞれ設定されている。これにより、無端ベルト５０５ａ、５０５ｂに吸着される写真の平面性が保たれる。また、搬送ベルト５０５の表面からコンタクトガラス３００の表面までの間隔、及び、リブ５５１ａ〜５５１ｄの表面からコンタクトガラス３００の表面までの間隔は、上述した手差し給紙部１０と同様に、約１ｍｍに設定されている。従って、第１吸引部５３１により搬送ベルト５０５に吸着されリブ５５１ａ〜５５１ｄで支持される写真の表面（画像面）からコンタクトガラス３００の表面までは所定間隔（約０．７ｍｍ）離間するようになる。また、第１吸引部５３１、第２吸引部１５０の両方で吸引支持されるパノラマ写真も平面性を有した状態で、コンタクトガラス３００から所定間隔離間されて吸着保持される。
【００３５】
図６に示すように、ローラ５３３、５０２間の搬送ベルト５０５の長さは、Ｓサイズ写真の原稿搬送方向長さよりも長く、パノラマ写真の原稿搬送方向長さよりも短く設定されている。換言すれば、第１吸引ダクト５３２は、Ｓサイズ写真のうち原稿搬送方向における長さが最大（ＭＡＸ）のハイビジョンサイズの先端が停止部材５０８（ストッパ５０８ａ、５０８ｂ）に当接した状態で、原稿搬送方向に亘って吸着される長さで、かつ、パノラマ写真の後端側の一部が吸着される長さとされている。
【００３６】
第１吸引ダクト５０３、無端ベルト５０５ａ、５０５ｂは、写真の画像読取時に発生する背景の影響を防止するために、上述したフレーム１０８と同色（または同等の反射率）の黒色とされている。すなわち、これらの部材の背景色を黒色に均一化することで、搬送ベルトのエッジ部や吸引孔の影の影響を防止するとともに、写真が薄い（透光性が比較的高い）原稿のために写真の裏に書かれている文字などが透けてしまういわゆる裏映り状態となり写真画像とともに読み取られてしまう不具合を防止している。また、上述したフレーム１０８を黒色にすることで、パノラマ写真を読み取る場合に吸気口１２５のエッジ部、ガイドフレーム１０８ｂの下端側エッジ部、第１吸引ダクト５３２の上端側エッジ部などの裏映り状態よる不具合を防止している。
【００３７】
停止部材５０８は、二つのストッパ５０８ａ、５０８ｂで構成されている。これらのストッパ５０８ａ、５０８ｂは、搬送ベルト５０８の下側に、搬送経路７００（第２搬送経路５０７）に対して平行に進退可能に取り付けられており、搬送されてきた写真の先端を当接させて基準位置Ｔを基準として読取位置８００に写真を停止させる（図１参照）。さらにストッパ５０８ａ、５０８ｂを搬送ベルト５０５の外側に設け写真のより外側を当接させることで写真の斜行をより確実に矯正する。
【００３８】
図１に示すように、自動給紙部２０は、手動で開閉される給紙トレイカバー２００と、複数枚のＳサイズ写真が積載される給紙トレイ２０２と、給紙トレイ２０２上のＳサイズ写真が挿入される繰出し口２０Ｃと、繰出し口２０Ｃから挿入されたＳサイズ写真を下流側に案内するガイド２０４、２０５と、ガイド２０４、２０５で形成される給紙経路２０３に沿ってＳサイズ写真を給送する給紙部２１と、給紙トレイ２０２上のＳサイズ写真の有無を検出するエンプティセンサ２０６と、を備えている。
【００３９】
給紙トレイ２０２は、給紙トレイ２０２を下方側から押圧するバネ２３０と、回動軸２３１とを有しており、回動軸２３１を中心に常にバネ２３０によって押し上げられた状態となっている。
【００４０】
給紙トレイカバー２００は回動軸２３１を支点として回動し、給紙トレイカバー２００と係合して回動するレバー２３２を有している。レバー２３２は、回動軸２３３を中心に回動し、給紙トレイ２０２に一体に設けられた係合ピン２３４と係合可能に構成されている。オペレータにより給紙トレイカバー２００が開かれたときに、レバー２３２は押し下げられ、さらにこのレバー２３２で係合ピン２３４が下側に押し下げられ、給紙トレイ２０２は下がり、Ｓサイズ写真が載置可能な状態となる。一方、給紙トレイカバー２００が閉められたときに、レバー２３２は上昇し係合ピン２３４とは係合せず、給紙トレイ２０２はフリー状態となる。このとき、給紙トレイ２０２は、バネ２３０によって押し上げられた状態となり、給紙トレイ２０２上に載置されたＳサイズ写真の最上面が後述するピックアップローラ２５０に接する状態となる。
【００４１】
給紙経路２０３は、給紙トレイ２０２上に載置されたＳサイズ写真を繰出し口２０Ｃから搬送ベルト５０５とガイドフレーム１０８ｂとの間に形成された自動給紙口Ｘまで案内する、所定間隔離れて配設されたガイド２０４、２０５で形成されている。ガイド２０４より上方に配置されたガイド２０５は、自動給紙口Ｘ（第２給紙口）近傍で、Ｓサイズ写真の向きを徐々に偏向させてコンタクガラス３００方向へ給送する従動ローラ２１０、２１１、２１２、２１３を回転可能に支持する断面略Ｒ状のローラ支持部材２１５に連絡している（図３も参照）。ローラ支持部材２１５は、回転体支持部材６１５と同様に、コンタクトガラス３００から所定距離離間してフレーム３５０の取り付け面３５１にネジ止めされている。これらの従動ローラ２１０、２１１、２１２、２１３は、ローラ支持部材２１５に、隣接するローラの外周が互いにオーバラップするように千鳥状に配設され、Ｓサイズ写真の表面にキズや汚れが付くことを低減している。一方、ガイド２０４のローラ支持部材２１５に対向する位置には、オン・オフによりＳサイズ写真の先端と後端とを検出するタイミングセンサ２０７が配置されている。
【００４２】
給紙部２１は、給紙トレイ２０２上のＳサイズ写真を繰出すピックアップローラ２５０、繰出されたＳサイズ写真を下流側に給送する給紙ローラ２５１Ｗ、給紙ローラ２５１Ｗとで繰出されたＳサイズ写真を一枚に分離する分離ローラ２５２、Ｓサイズ写真の傾き（斜行）を修正し下流側に搬送するレジストローラ対２５３、２５４、Ｓサイズ写真とガイド２０５との接触抵抗を低減させるガイドローラ２５５とで構成されており、これらのローラはガイド２０４、２０５に沿って配設されている。給紙トレイ２０２上に載置されたＳサイズ写真は、後述する搬送モータＭ１の駆動力により、給紙経路２０３、自動給紙口Ｘを経て搬送経路７００（第２搬送路５０７）に挿入される。
【００４３】
排出部６０は、キャリッジ３０１により画像の読み取りが終了した写真を載置するための排紙トレイ６０１と、上述したようにコンタクトガラス３００の下方に配された回転体支持部材６１５と、回転体支持部材６１５の下流側に配設され写真を排紙トレイ６０１に向けて案内する排紙経路６０４に沿って搬送する排紙部６１と、写真の後端を検出する排紙センサ６１３とを備えている。
【００４４】
排紙部６１は、排紙経路６０４の一側を形成する湾曲したガイド６０３と、このガイド６０３に沿って配設された従動ローラ６０５、６０６、６０７と、プーリ６０８、６０９、６１０に張架され、従動ローラ６０５、６０６、６０７が当接することで湾曲状態とされ排紙経路６０４の他側を形成する排紙ベルト６１２とを有している。排紙センサ６１３は、排紙経路６０４に向けて従動ローラ６０６、６０７の間に配置されている。
【００４５】
図２に示すように、搬送ユニット２は、駆動源として正逆転可能な搬送モータＭ１と図示しないストッパモータＭ２を有している。図示を省略した複数のギヤ及びプーリ、ベルトを介して、搬送モータＭ１の正転駆動によりピックアップローラ２５０、給紙ローラ２５１Ｗが駆動し、逆転駆動によりレジストローラ２５３、搬送ベルト５０５、排紙ベルト６１２が駆動する。詳述すれば、搬送モータＭ１の正転で、ピックアップローラ２５０、給紙ローラ２５１Ｗが図２の反時計方向に回転し、逆転で、レジストローラ２５３、排紙ベルト６１２（駆動プーリ６１０）が反時計方向に、搬送ベルト５０５（駆動ローラ５０１）が時計方向に回転する。図示しないストッパモータＭ２は、ストッパ５０８ａ、５０８ｂを搬送経路７００に対して進退させるように連結されている。
【００４６】
また、画像読取装置１は、画像読取ユニット３内でタイミングベルト３２１を介してコンタクトガラス３００とは反対側の位置に、商用交流電源から上述した各機構部及び制御部等を駆動／作動可能な直流電源に変換する図示しない電源部及び画像読取装置１全体の動作制御を行う図示しない制御部と、画像読取ユニット３の上部に、オペレータに後述する給紙モードを選択させるためのモードボタン及びオペレータに画像読取装置１の搬送・読取動作を開始させるためのスタートボタンが配設された図示しない操作部とを備えている。
【００４７】
制御部は、イメージセンサ３０９を制御するためのメイン基板と、このメイン基板及び画像読取装置１の制御処理を行うＣＰＵブロックとを有している。メイン基板は、イメージセンサ３０９で読み取った画像データをＡ／Ｄ変換するコンバータ、ゲートアレイ、ページメモリ等を有する公知の回路で構成されており、センサ基板３２５にフレキシブル基板で接続されている。ＣＰＵブロックは、中央演算処理装置として作動するＣＰＵ、画像読取装置１の制御動作が記憶されたＲＯＭ、ＣＰＵのワークエリアとして働くＲＡＭ、及びこれらを接続する内部バスで構成されている。ＣＰＵブロックには外部バスが接続されている。外部バスには、操作部を制御する操作制御ユニット、各種センサからの信号を制御するセンサ制御ユニット、各モータに駆動パルスを送出するモータドライバを制御するドライバ制御ユニット、第１吸引ファン５０３及び第２吸引ファン１２１のオン・オフを制御するファン制御部及びパーソナルコンピュータ等の上位機種へキャリッジ３０１で読み取った画像データを出力するための外部インターフェースが接続されている。また、操作制御ユニットは操作部に、センサ制御ユニットはセンサ１１１、２０６、２０７、６１３に、ドライバ制御ユニットはモータＭ１〜Ｍ３を駆動させるドライバに、ファン制御部は第１吸引ファン５０３及び第２吸引ファン１２１にそれぞれ接続されている。
【００４８】
（動作）
次に、フローチャートを参照して、本実施形態の画像読取装置１の動作について制御部のＣＰＵを主体として説明する。画像読取装置１に電源が投入されると、写真の画像を読み取るための画像読取ルーチンが実行される。
【００４９】
図８に示すように、この画像読取ルーチンでは、まず、ステップＳ１において、オペレータが操作部のモードボタンを押下するまで待機する。オペレータは、１枚または複数枚のＳサイズ写真を自動的に１枚ずつ画像読取ユニット３へ搬送して読み取る自動給紙モード、パノラマ写真を手差しにより１枚ずつ画像読取ユニット３へ搬送して読み取るパノラマモードのいずれかの給紙モードが選択可能である。
【００５０】
次のステップＳ２では、選択された給紙モードが自動給紙モードか否かを判断し、肯定判断のときは、ステップＳ３において、自動給紙モード処理サブルーチンを実行する。
【００５１】
図９に示すように、自動給紙モード処理サブルーチンでは、ステップＳ１１においてエンプティセンサ２０６がＳサイズ写真を検出するまで待機し、肯定判断とき、すなわち、オペレータが給紙トレイ２０２にＳサイズ写真の読取面を上にしてセンター基準で載置し給紙トレイカバー２００を閉めることで、レバー２３２と係合ピン２３４との係合がはずれ、給紙トレイ２０２が回動軸２３１を中心に回動しながら上昇し、最上部に載置された写真面がピックアップローラ２５０に押し当てられ、エンプティセンサ２０６がＳサイズ写真を検出すると、次のステップＳ１２において、オペレータが操作部のスタートボタンを押下したか否かを判断する。否定判断のときは、ステップＳ１１へ戻り、肯定判断のときは、ステップＳ１３で、搬送モータＭ１を正転駆動させるとともに、第１吸引ファン５０３を作動させる。
【００５２】
これにより、ピックアップローラ２５０が反時計方向に回転し、最上部に載置されたＳサイズ写真は繰り出し口２０Ｃから給紙経路２０３に繰り出される。Ｓサイズ写真は、反時計方向に回転する給紙ローラ２５１Ｗと分離ローラ２５２とによって１枚に分離され、給紙経路２０３に沿って下流側に搬送される。また、第１吸引ファン５０３の作動により、第１吸引ダクト５０２内の吸気が行われる。
【００５３】
次のステップＳ１４では、搬送モータＭ１が予め定められた所定パルス数だけ正転駆動したか否かを判断し、否定判断のときは搬送モータＭ１の搬送を続行させ、肯定判断のときは搬送モータＭ１の駆動を停止させる。これにより、Ｓサイズ写真の先端は停止しているレジストローラ対２５３、２５４のニップ点に突き当てられてレジストループを描き、Ｓサイズ写真の搬送方向での傾行が取り除かれる。なお、所定パルス数は、このレジストループが形成されるのに十分なパルス数とされている。
【００５４】
次にステップＳ１５において、搬送モータＭ１を逆転駆動させて搬送ベルト５０５を時計方向に回転させるとともに、図示しないストッパモータＭ２を駆動させてストッパ５０８ａ、５０８ｂを第２搬送経路５０７に進出させる。Ｓサイズ写真は、レジストローラ２５３（レジストローラ２５４はレジストローラ２５３に従動）の回転により自動給紙口Ｘから搬送経路７００（第２搬送路５０７）に給送され、その先端がコンタクトガラス３００に当接することで搬送方向が矯正され搬送ベルト５０５側に向けられる。搬送ベルト５０５に到達した写真は、第１吸引ファン５０３の作動により搬送ベルト５０５に吸着されつつ、その回転によって基準位置Ｔに向けて搬送される。
【００５５】
次のステップＳ１６では、タイミングセンサ２０７で検出されたＳサイズ写真の先端および後端からＳサイズ写真のサイズを判別するとともに、Ｓサイズ写真の基準位置Ｔまでの送り量（パルス数）を予めＲＯＭに記憶されているテーブルを参照して決定する。ステップＳ１８では、Ｓサイズ写真の後端がタイミングセンサ２０７に検出されてから、ステップＳ１６で決定した送り量の搬送を行ったか否かを判断し、否定判断のときは搬送を続行し、肯定判断のときは搬送モータＭ１を停止させる。これにより、搬送ベルト５０５は回転を停止し、Ｓサイズ写真は先端がストッパ５０８ａ、５０８に当接した状態となり基準位置Ｔを基準として読取位置８００に保持される。このとき、Ｓサイズ写真は、その略中央部分が停止している搬送ベルト５０５に原稿搬送方向に亘って吸着され、上述したように、コンタクトガラス３００から所定間隔離間された状態となる。
【００５６】
次にステップＳ１８で、ストッパモータＭ２を逆転駆動させてストッパ５０８ａ、５０８ｂを第２搬送経路５０７から退避させ、ステップＳ１９において、キャリッジモータＭ３を正転駆動させる。これにより、タイミングベルト３２１が図示時計方向に回転し、キャリッジ３０１がホームポジションＨから上昇して行く。キャリッジ３０１は、上昇しながらシェーディング補正用の白基準板３２３を読み取り、続けて基準位置ＴからＳサイズ写真の長さに応じた距離を上昇移動しながら画像の読み取りを行う。
【００５７】
ステップＳ２０では、キャリッジ３０１をステップＳ１６で判別したＳサイズ写真の長さに応じた距離を上昇させたか否かを判断し、否定判断のときはステップＳ１９での処理を続行し、肯定判断のとき、すなわち、読み取りが完了すると、キャリッジモータＭ３の正転駆動を停止させる。写真から読み取られた画像データはメイン基板のページメモリに記憶される。
【００５８】
次のステップＳ２１では、キャリッジモータＭ３と搬送モータＭ１とを逆転駆動させる。キャリッジモータＭ３の逆転駆動でベルト３２１が反時計方向に回転し、キャリッジ３０１はホームポジションＨに向かって下降を開始する。次にステップＳ２２において、キャリッジ３０１がホームポジションセンサ３３０で検出されたか否かを判断し、否定判断のときはステップＳ２１へ戻りキャリッジモータＭ３及び搬送モータＭ１の逆転駆動を続行させ、肯定判断のときは、次のステップＳ２３でキャリッジモータＭ３を停止させる。搬送モータＭ１の逆転駆動は続行されており、搬送ベルト５０５、排紙ベルト６１２はそれぞれ時計方向、反時計方向に回転し、Ｓサイズ写真は排紙トレイ６０１に向けて搬送されている。また、ステップＳ２３では、排紙センサ６１３がＳサイズ写真の先端が検出したか否かを判断し、否定判断のときは搬送モータＭ１の逆転駆動が続行され、肯定判断のときは、搬送モータＭ１の回転速度を減速させる。
【００５９】
次いでステップＳ２４では、Ｓサイズ写真の後端を検出したか否かを判断し、否定判断のときは搬送モータＭ１に減速回転速度を維持させ、肯定判断のときは、次のステップＳ２５で所定送り量分の逆転駆動をさせた後に搬送モータＭ１を停止させる。これにより、Ｓサイズ写真は排出トレイ６０１に載置された状態となる。次に、ステップＳ２６において、エンプティセンサ２０６が次のＳサイズ写真を検出したか否かを判断し、肯定判断のときはステップＳ１３へ戻り次のＳサイズ写真の処理を行い、否定判断のときはステップＳ２７において、第１吸引ファン５０３を停止させ、自動給紙モード処理サブルーチン及び画像読取ルーチンを終了する。
【００６０】
一方、図８のステップＳ３で、否定判断のときは、ステップＳ４において、図１０に示すパノラマモード処理サブルーチンを実行する。パノラマモードでは、オペレータがカバー１０１を開け、パノラマ写真一枚の先端を手差し給紙口１０Ｃ、搬送経路７００（第１搬送経路１０９）を介して、搬送ベルト５０５とコンタクトガラス３００の間に到達するまで（例えば、搬送ベルト５０５の中心まで）手動で挿入する。これにより、パノラマ写真は、手差し給紙トレイ１０８ａに載置された状態となる。なお、図１０において、図９と同一のステップには同一の符号を付してその説明を省略し、異なるステップ及び異なる箇所のみ説明する。
【００６１】
このパノラマモード処理サブルーチンでは、まず、ステップＳ３１で、エンプティセンサ１１１がパノラマ写真を検出するまで待機し、パノラマ写真を検出すると、次のステップＳ３２において、第１吸引ファン５０３及び第２吸引ファン１２１を作動させる。これにより、それぞれ第１吸引ダクト５３２、第２吸引ダクト１２０は吸気を開始し、パノラマ写真の先端側が搬送ベルト５０５に吸着され、後端側がガイドフレーム１０８ｂに形成された吸気口１２５に吸着される。
【００６２】
次にステップＳ３３において、オペレータによりスタートボタンが押下されるまで待機し、スタートボタンが押下されると、次のステップＳ３４で所定時間後、搬送モータＭ１を逆転駆動させるとともに、ストッパモータＭ２を駆動させる。これにより、搬送ベルト５０５は時計方向に回転し、ストッパ５０８ａ、５０８ｂは搬送経路５０７（第２搬送路５０７）に進出する。そして、第２吸引ファン１２１の作動によりパノラマ写真の後端側が吸引され、コンタクトガラス３００から上述した所定間隔離間するとともに、第１吸引ファン５０３によりパノラマ写真の先端側が搬送ベルト５０５に吸引されながら、パノラマ写真は搬送ベルト５０５の回転により下流側に搬送される。
【００６３】
次いでステップＳ３５において、エンプティセンサ１１１がパノラマ写真の後端を検出したか否かを判断し、否定判断のときは搬送モータＭ１及びストッパモータＭ２の駆動を続行し、肯定判断のときは、所定送り量（パノラマ写真の先端がストッパ５０８ａ、５０８ｂに当接する送り量）分だけさらにパノラマ写真を搬送した後、搬送モータＭ１を停止させる。このとき、パノラマ写真は、その先端がストッパ５０８ａ、５０８ｂに当接して基準位置Ｔを基準として読取位置８００で停止しており、先端側は第１吸引ファン５０３で搬送ベルト５０５に吸着され、後端側は第２吸引ファン１２１でガイドフレーム１０８ｂの吸気口１２５に吸着されて支持されている。従って、パノラマ写真は、コンタクトガラス３００から上述した所定間隔離間した状態で搬送ベルト５０５及び吸引口１２５に保持されている。
【００６４】
次のステップＳ１８〜ステップＳ２４では、上述したように、図９に示した自動給紙モード処理サブルーチンの対応するステップと同様の処理が行われる。これらのステップで、自動給紙モード処理サブルーチンの対応するステップと異なる点は、パノラマ写真の長さがＳサイズ写真の長さより長いために、キャリッジ３０１の上昇、下降距離が長くなる点とパノラマ写真の排出までの処理時間が長くなる点である。
【００６５】
次にステップＳ３６では、所定時間後に搬送モータＭ１、第１吸引ファン５０３、および第２吸引ファン１２１を停止させ、パノラマモード処理サブルーチン及び画像読取ルーチンを終了する。
【００６６】
なお、画像読取装置１は、外部インターフェースに接続された上位機器と通信を行い、上位機器からの要求によりページメモリに記憶した画像データを送出する。
【００６７】
（作用等）
次に、本実施形態の画像読取装置１の作用等について説明する。
【００６８】
本実施形態の画像読取装置１では、コンタクトガラス３００を略垂直に配置し、キャリッジ３０１をコンタクトガラス３００に沿って上昇移動させて写真の画像を読み取るようにしたので、画像読取装置１の設置面積を小さくすることができる。特に、基準位置Ｔから安定して読取を行うためにキャリッジ３０１の速度が安定するまでの距離や白基準板３２３を読み取るための距離を含めたホームポジションＨから基準位置Ｔまでの距離Ｌ１が必要となり、コンタクトガラス３００の上端までキャリッジ３０１を移動させるためには、キャリッジ３０１の幅分の距離Ｌ２が必要となるので（図１参照）、コンタクトガラス３００を載置面に水平に配置しキャリッジ３０１を横に移動させる従来の画像読取装置では、コンタクトガラス３００の面積に加え、さらに距離Ｌ１、Ｌ２分だけケーシングが大きくなり、設置面積が大きくなる。本画像読取装置１は、コンタクトガラス３００を略垂直に配置するとともに、キャリッジ３０１を上下に移動させるようにしたので、距離Ｌ１、Ｌ２分の設置面積をさらに小さくすることができる。さらに、第１吸引部５３１のみに写真を搬送する搬送ベルト５０５を包囲させ、第２吸引部１５０には搬送ベルト５０５を包囲させない構造を採用したので、搬送ユニット２の小型化、ひいては画像読取装置１の小型化を図ることができる。
【００６９】
また、ガイドシャフト３３３、３３４の外径と支持部材５７０、５７１の内径との差（ガタ）があり、キャリッジ３０１には常に自重による下方向の力がかかっている。そのためにキャリッジ３０１の移動時に上述したガイドシャフト３３３、３３４の外径と支持部材５７０、５７１の内径との差（ガタ）分の傾きが左右で繰り返し起こることで振動が生じ、この振動はキャリッジ３０１の上昇時よりも下降時の方が大きくなる。画像読取装置１では、写真を吸引保持しキャリッジ３０１を移動させながら写真の読み取りを行う場合に、キャリッジ３０１を下降させながら読取を行うことは十分に可能であるが、キャリッジ３０１を上昇させながら読取を行うようにしたので（ステップＳ１９）、キャリッジ３０１の移動時に発生する振動による画質への影響をより低減させることができる。
【００７０】
さらに、画像読取装置１では、手差し給紙口１０Ｃから挿入されたパノラマ写真は、第１吸引部５３１と第２吸引部１５０とに吸引されながら搬送ベルト５０５で読取位置８００（パノラマ写真の先端がストッパ５０８ａ、５０８ｂに当接する基準位置Ｔ）まで搬送されて停止し、読取位置８００で、第１吸引部５３１で搬送ベルト５０５に吸着されるとともに第２吸引部１５０に吸引され、コンタクトガラス３００に対して所定間隔離間して保持される（ステップＳ３４、Ｓ３５）。一方、繰出し口２０Ｃから挿入されたＳサイズ写真は、第１吸引部５３１に吸引されながら搬送ベルト５０５で読取位置８００（パノラマ写真の先端がストッパ５０８ａ、５０８ｂに当接する基準位置Ｔ）まで搬送されて停止し、読取位置８００で、第１吸引部５３１で搬送ベルト５０５に吸着され、コンタクトガラス３００に対して所定間隔離間して保持される（ステップＳ１５〜Ｓ１７）。コンタクトガラス３００とパノラマ写真またはＳサイズ写真との間隔は約０．７ｍｍであり、両者間に形成される空気層はニュートンリングを発生させる干渉間隔より十分に大きい。画像読取装置１によれば、キャリッジ３０１で写真を読み取るときに（ステップＳ１９）、コンタクトガラス３００に対してニュートンリングが発生しない十分な間隔を有しているので、良好な画像を得ることができる。また、画像読取装置１では、搬送時に、パノラマ写真の後端を第２吸引部１５０で吸引してコンタクトガラス３００から所定距離離間して搬送するので、写真後端部が垂れてコンタクトガラス３００に吸着することによる搬送不良（搬送ができなくなったり、搬送方向に対する斜行や吸着した状態で写真が引きずられて発生する画像面のキズ）を防止することができるとともに、画像読取時に写真はコンタクトガラス３００から所定間隔離間して保持されるので、写真がコンタクトガラス３００に張り付く（吸着される）ことがなく、排出できないといった排出時の搬送不良やコンタクトガラスとの摩擦によって写真の画像面にキズが付く、という不具合を生じない。
【００７１】
また、画像読取装置１では、繰出し口２０Ｃから挿入されるＳサイズ写真は、手差し給紙口１０Ｃから挿入されるパノラマ写真に対し第１搬送経路１０９を介さずに搬送ベルト５０５により基準位置Ｔまで搬送されるので、搬送距離が短くなり、搬送時間を短縮することができる。さらに、画像読取装置１では、繰出し口２０Ｃから自動給紙口Ｘを介して搬送経路７００（第２搬送経路５０７）にＳサイズ写真を給送する自動給紙部２０を有しているので、多数枚のＳサイズ写真を搬送・読取処理を行う際の処理効率を高めることができ、一層搬送時間を短縮することができると共に、使用頻度の低いパノラマ写真用の手差し給紙トレイ１０８ａに合わせて使用頻度の高いＳサイズ写真用の給紙トレイ２０２を高くする必要がないため、操作性を向上させることができる。
【００７２】
またさらに、画像読取装置１では、コンタクトガラス３００の下部に原稿停止基準となる基準位置Ｔを配し、この基準位置Ｔに写真の先端を停止させる停止部材５０８を搬送経路７００に対して進退可能に配設したので、停止部材５０８を進出させることで写真搬送時に仮に写真が落下してしまっても、写真を確実に基準位置Ｔに停止させ画像を読み取ることができると共に、停止部材５０８が２つのストッパ５０８ａ、５０８ｂで構成されており、ストッパ５０８ａ、５０８ｂを離間して平行して進退可能に配設したので、写真の先端２箇所が当接することで、写真の搬送方向の斜きを矯正することができる。
【００７３】
また、画像読取装置１では、パノラマ写真の後端側を第２吸引部１５０で吸引しながら搬送ベルト５０５によって基準位置Ｔまで搬送するが、第２吸引部１５０の吸引力を第1吸引部５３１の吸引力よりも弱く設定したので、第２吸引部１５０の吸引力による搬送ベルト５０５への負荷を低減させることができる。
【００７４】
さらに、画像読取装置１では、搬送経路７００に近接配置され略Ｒ状に湾曲したローラ支持部材２１５、回転体支持部材６１５に、複数のローラが写真の搬送・排出方向に連続して隣接するローラの外周が互いにオーバラップするように千鳥状に配設したので、写真面にキズや汚れが付くことを低減させることができる。また、画像読取装置１では、湾曲した排紙経路６０４の写真の画像面に接する側を排紙ベルト６１２で形成したので、写真面にキズや汚れが付くことを低減することができると共に、写真に対して搬送力が付与される面積が増大し、搬送力を落とすことなくニップ力を低減させることができる。
【００７５】
なお、本実施形態では、原稿に写真を例示したが、本発明は原稿が写真に限定されるものではなく、はがきやＡ４サイズの一般紙等の原稿に記録された画像を読み取る画像読取装置に適用可能であるが、特に反射率の高いコーティングされた原稿やフィルム等に特に効果的である。
【００７６】
また、本実施形態では、写真の厚さを約０．３ｍｍ、リブ１３０の表面からコンタクトガラス３００の表面までの間隔、搬送ベルト５０５の表面からコンタクトガラス３００の表面までの間隔、及び、リブ５５１ａ〜５５１ｄの表面からコンタクトガラス３００の表面までの間隔を約１ｍｍに設定した例を示したが、これらの間隔は、読み取る主要の原稿の厚さに応じて適宜変更するようにしてもよい。
【００７７】
更に、本実施形態では、第１吸引部５３１、第２吸引部１５０に、第１吸引ファン５０３、第２吸引ファン１２１で吸引して第１吸引ダクト５３２、第２吸引ダクト１２０内を負圧にすることで写真を吸引する例を示したが、本発明はこれに限らず、例えば、静電気により原稿を吸引するようにしてもよい。
【００７８】
また、本実施形態では、読取時にストッパ５０８ａ、５０８ｂを搬送経路７００から退避させる例を示したが、進出させた状態のままで写真の画像を読み取るようにし、読取後に退避させるようにしてもよい。さらに、本実施形態では、停止部材５０８をストッパ５０８ａ、５０８ｂに分割して搬送ベルト５０５の下側に配置した例を示したが、ストッパ５０８ａ、５０８ｂを一体として構成するようにしてよもよい。この場合には、搬送ベルト５０５の位置を避けて両者を連接するようにすればよい。
【００７９】
さらに、実施形態では、パノラマ写真を手差し給紙とした例を示したが（ステップＳ１８）、Ｓサイズ写真の場合と同様に、自動給紙とすれば、パノラマ写真の処理効率も向上させることができる。また、本実施形態では、原稿停止の基準となる基準位置を読取開始位置と同じとした例を示したが、本発明はこれに限らず、両者を異ならせるようにしてもよい。
【００８０】
また、本実施形態では、第２吸引部１５０を第１吸引部５０３の原稿搬送方向上流側に配置した例を示したが、第２吸引部１５０は搬送ベルト５０５によるパノラマ写真搬送時に長いパノラマ写真の一方側の吸引の補助ができればよいので、パノラマ写真の搬送を第２吸引部１５０を第１吸引部５０３の下流側に配置するようにしてもよい。
【００８１】
そして、本実施形態では、コンタクトガラス３００が垂直の画像読取装置を例示したが、本発明は、従来技術に示した画像読取装置のように、コンタクトガラスが水平な画像読取装置にも適用可能である。
【００８２】
【発明の効果】
以上説明したように、本発明によれば、第１および第２吸引手段のうち第１吸引手段のみに原稿を搬送する無端搬送ベルトが巻回されているので、原稿搬送装置の小型化を図ることができると共に、読取位置でコンタクトガラス面に沿って静止している原稿は並設された第１吸引手段および第２吸引手段によって、コンタクトガラス面から所定間隔離間されるので、ニュートンリングの発生を防止することができる、という効果を得ることができる。
【図面の簡単な説明】
【図１】本発明が適用可能な実施形態の画像読取装置の全体構成を示す側断面図である。
【図２】実施形態の画像読取装置の駆動系を模式的に示す側断面図である。
【図３】画像読取ユニットのコンタクトガラスの取付状態を示す外観斜視図である。
【図４】キャリッジの昇降構造を示す外観斜視図である。
【図５】第１吸引部及び第２吸引部の詳細を示す側断面図である
【図６】図５の６−６線断面から第１吸引部及び第２吸引部を見たときの正面図である。
【図７】図６の７−７線断面から第1吸引部を見たときの断面図である。
【図８】制御部のＣＰＵが実行する画像読取ルーチンを示すフローチャートである。
【図９】画像読取ルーチンの自動給紙モード処理サブルーチンの詳細を示すフローチャートである。
【図１０】画像読取ルーチンのパノラマモード処理サブルーチンの詳細を示すフローチャートである。
【図１１】従来の画像読取装置の説明図であり、（Ａ）は断面図、（Ｂ）は読取部の底面図である。
【符号の説明】
１  画像読取装置
２  搬送ユニット
３  画像読取ユニット
１０Ｃ  手差し給紙口
２０Ｃ  繰出し口
２１  給紙部
１５０  第２吸引部（第２吸引手段）
２０３ 給紙経路
３００  コンタクトガラス
３０１  キャリッジ（読取手段）
５０３  第１吸引ファン
５０５  無端搬送ベルト（搬送ベルト）
５０８  停止部材
５３１  第１吸引部（第１吸引手段）
５５０  吸気孔
５５２ａ、５５２ｂ  吸引口
５３２  第１吸引ダクト
７００  搬送経路
Ｔ  読取位置
【図１】
0003662222.tif 000002
【図２】
0003662222.tif 000003
【図３】
0003662222.tif 000004
【図４】
0003662222.tif 000005
【図５】
0003662222.tif 000006
【図６】
0003662222.tif 000007
【図７】
0003662222.tif 000008
【図８】
0003662222.tif 000009
【図９】
0003662222.tif 000010
【図１０】
0003662222.tif 000011
【図１１】
0003662222.tif 000012